(57)【要約】【課題】表示領域の周辺の領域のうち、ＲＧＢスイッチのトランジスタが設けられる部分の面積を縮小し、表示領域の周辺の領域の面積を縮小する。【解決手段】表示装置は、複数の映像信号線ＳＬを備える。複数の映像信号線ＳＬの各々は、第１副画素と接続された信号線ＳＬ１と、第２副画素と接続された信号線ＳＬ２と、信号線ＳＬ１と信号線駆動回路とを接続するトランジスタＴｒ１と、信号線ＳＬ２と信号線駆動回路とを接続するトランジスタＴｒ２と、を有する。信号線ＳＬ１および信号線ＳＬ２の各々は、平面視においてＹ方向に延在し、トランジスタＴｒ１は、Ｙ方向に対して傾斜した方向ＤＲ１１に延在する延在部ＥＸ１１を含む。【選択図】図６
2016109845.tif 000002
【特許請求の範囲】
【請求項１】
基板と、
前記基板の主面側の第１領域に設けられた複数の画素と、
前記複数の画素に供給される映像信号が入力される入力部と、
前記複数の画素と前記入力部とを接続する複数の映像信号線と、
を備え、
前記複数の画素の各々は、
第１副画素と、
第２副画素と、
を有し、
前記複数の映像信号線の各々は、
前記第１副画素と接続された第１信号線と、
前記第２副画素と接続された第２信号線と、
前記第１信号線と前記入力部とを接続する第１スイッチング素子と、
前記第２信号線と前記入力部とを接続する第２スイッチング素子と、
を有し、
前記第１スイッチング素子および前記第２スイッチング素子の各々は、前記基板の前記主面側の第２領域に設けられ、
前記第２領域は、平面視における第１方向において、前記第１領域に対して第１の側に配置され、
前記第１信号線および前記第２信号線の各々は、前記第１領域および前記第２領域で、平面視において、前記第１方向に延在し、
前記第１スイッチング素子は、前記第１方向に対して傾斜した第２方向に延在する第１延在部を含む、表示装置。
【請求項２】
請求項１記載の表示装置において、
前記第２領域は、
第３領域と、
前記第３領域に対して前記第１領域側に配置された第４領域と、
を含み、
前記第１スイッチング素子は、前記第３領域に設けられ、
前記第２スイッチング素子は、前記第４領域に設けられている、表示装置。
【請求項３】
請求項２記載の表示装置において、
前記第２スイッチング素子は、前記第１方向に延在する、表示装置。
【請求項４】
請求項１記載の表示装置において、
前記第２方向は、前記第１方向に対して、前記第１方向と交差する第３方向における第２の側に傾斜し、
前記第１スイッチング素子は、平面視において前記第１方向に対して、前記第３方向における前記第２の側と反対側に傾斜した第４方向に延在する第２延在部を含み、
前記第２延在部の前記第１方向における前記第１の側の第１端部は、前記第１延在部の前記第１方向における前記第１の側と反対側の第２端部と接続されている、表示装置。
【請求項５】
請求項４記載の表示装置において、
前記第２領域は、
第５領域と、
前記第５領域に対して前記第１領域側に配置された第６領域と、
を含み、
前記第１スイッチング素子は、前記第５領域に設けられ、
前記第２スイッチング素子は、前記第６領域に設けられている、表示装置。
【請求項６】
請求項５記載の表示装置において、
前記第２スイッチング素子は、前記第１方向に延在する、表示装置。
【請求項７】
請求項１記載の表示装置において、
前記第１スイッチング素子は、第１薄膜トランジスタであり、
前記第２スイッチング素子は、第２薄膜トランジスタであり、
前記第１延在部は、第１チャネル領域である、表示装置。
【請求項８】
請求項４記載の表示装置において、
前記第１スイッチング素子は、第３薄膜トランジスタであり、
前記第２スイッチング素子は、第４薄膜トランジスタであり、
前記第１延在部は、第２チャネル領域であり、
前記第２延在部は、第３チャネル領域である、表示装置。
【請求項９】
請求項１記載の表示装置において、
前記第１副画素は、第１色を表示し、
前記第２副画素は、前記第１色と異なる第２色を表示する、表示装置。
【請求項１０】
請求項１記載の表示装置において、
前記入力部は、前記基板の前記主面側の第７領域に設けられ、
前記第７領域は、前記第２領域を挟んで前記第１領域と反対側に配置されている、表示装置。
【請求項１１】
請求項１記載の表示装置において、
前記第１信号線は、前記第１方向に配列された複数の前記第１副画素からなる第１副画素群と接続され、
前記第２信号線は、前記第１方向に配列された複数の前記第２副画素からなる第２副画素群と接続されている、表示装置。
【請求項１２】
請求項１１記載の表示装置において、
前記第１スイッチング素子および前記第２スイッチング素子と、前記入力部と、の接続状態を制御する制御部を有し、
前記制御部は、前記第１スイッチング素子および前記第２スイッチング素子を順次切り換えることにより、前記第１副画素群および前記第２副画素群が選択的に前記入力部と接続されるように、制御する、表示装置。
【発明の詳細な説明】
【技術分野】
【０００１】
本発明は表示装置に関し、例えば、表示領域に設けられた複数の画素に信号を供給する映像信号線を有する表示装置に適用して有効な技術に関する。
【背景技術】
【０００２】
表示領域に設けられた複数の画素に、複数の映像信号線を介して信号を供給し、画像を表示させる表示装置がある。このような表示装置では、表示装置を小型化し、かつ、表示領域を大きくするために、表示領域の周辺の領域の面積を縮小することが求められる。
【０００３】
また、複数の画素の各々は、Ｒ（赤）、Ｇ（緑）およびＢ（青）の各々の色をそれぞれ表示する複数の副画素を含む。各画素に映像信号を供給する映像信号線は、各画素に含まれる複数の副画素の各々にそれぞれ接続される複数の信号線を含む。各信号線は、映像信号が入力される入力部と、各副画素とを接続する。入力部と各信号線との間には、ＲＧＢスイッチ回路が接続される。
【０００４】
例えば、特開２０１２−２３４０８０号公報（特許文献１）には、表示装置において、映像線駆動回路から出力される映像電圧を、第１の色のサブピクセル用の映像線、第２の色のサブピクセル用の映像線、あるいは、第３の色のサブピクセル用の映像線に振り分けるＲＧＢスイッチを有する技術が記載されている。
【先行技術文献】
【特許文献】
【０００５】
【特許文献１】特開２０１２−２３４０８０号公報
【発明の概要】
【発明が解決しようとする課題】
【０００６】
上記した表示装置におけるＲＧＢスイッチは、複数の信号線の各々を入力部にそれぞれ接続する複数のトランジスタを有する。複数のトランジスタは、表示領域の周辺の領域に、設けられる。
【０００７】
ところが、各信号線には複数の副画素が接続されるため、ＲＧＢスイッチにおける各信号線に接続されたトランジスタには、比較的大電流が流れる。そのため、トランジスタのチャネル領域のチャネル幅は、そのチャネル領域のチャネル長よりも極めて大きくなり、トランジスタのチャネル領域が、信号線の延在方向に沿って延在することになる。このような場合、表示領域の周辺の領域の、信号線の延在方向における長さ寸法が大きくなり、表示領域の周辺の領域の面積を縮小することができない。
【０００８】
本発明は、上述のような従来技術の問題点を解決すべくなされたものであって、表示領域の周辺の領域のうち、ＲＧＢスイッチのトランジスタが設けられる部分の面積を縮小し、表示領域の周辺の領域の面積を縮小することができる表示装置を提供することを目的とする。
【課題を解決するための手段】
【０００９】
本願において開示される発明のうち、代表的なものの概要を簡単に説明すれば、次のとおりである。
【００１０】
本発明の一態様としての表示装置は、基板と、基板の主面側の第１領域に設けられた複数の画素と、複数の画素に供給される映像信号が入力される入力部と、複数の画素と入力部とを接続する複数の映像信号線と、を備える。複数の画素の各々は、第１副画素と、第２副画素と、を有する。複数の映像信号線の各々は、第１副画素と接続された第１信号線と、第２副画素と接続された第２信号線と、第１信号線と入力部とを接続する第１スイッチング素子と、第２信号線と入力部とを接続する第２スイッチング素子と、を有する。第１スイッチング素子および第２スイッチング素子の各々は、基板の主面側の第２領域に設けられている。第２領域は、平面視における第１方向において、第１領域に対して第１の側に配置されている。第１信号線および第２信号線の各々は、第１領域および第２領域で、平面視において、第１方向に延在し、第１スイッチング素子は、第１方向に対して傾斜した第２方向に延在する第１延在部を含む。
【００１１】
また、他の一態様として、第２領域は、第３領域と、第３領域に対して第１領域側に配置された第４領域と、を含んでもよい。また、第１スイッチング素子は、第３領域に設けられ、第２スイッチング素子は、第４領域に設けられていてもよい。このとき、第２スイッチング素子は、第１方向に延在してもよい。
【００１２】
また、他の一態様として、第２方向は、第１方向に対して、第１方向と交差する第３方向における第２の側に傾斜してもよい。また、第１スイッチング素子は、平面視において第１方向に対して、第３方向における第２の側と反対側に傾斜した第４方向に延在する第２延在部を含み、第２延在部の第１方向における第１の側の第１端部は、第１延在部の第１方向における第１の側と反対側の第２端部と接続されていてもよい。
【００１３】
また、他の一態様として、第２領域は、第５領域と、第５領域に対して第１領域側に配置された第６領域と、を含んでもよい。また、第１スイッチング素子は、第５領域に設けられ、第２スイッチング素子は、第６領域に設けられていてもよい。このとき、第２スイッチング素子は、第１方向に延在してもよい。
【００１４】
また、他の一態様として、第１スイッチング素子は、第１薄膜トランジスタであり、第２スイッチング素子は、第２薄膜トランジスタであり、第１延在部は、第１チャネル領域であってもよい。
【００１５】
また、他の一態様として、第１スイッチング素子は、第３薄膜トランジスタであり、第２スイッチング素子は、第４薄膜トランジスタであり、第１延在部は、第２チャネル領域であり、第２延在部は、第３チャネル領域であってもよい。
【００１６】
また、他の一態様として、第１副画素は、第１色を表示し、第２副画素は、第１色と異なる第２色を表示してもよい。
【００１７】
また、他の一態様として、入力部は、基板の主面側の第７領域に設けられ、第７領域は、第２領域を挟んで第１領域と反対側に配置されていてもよい。
【００１８】
また、他の一態様として、第１信号線は、第１方向に配列された複数の第１副画素からなる第１副画素群と接続され、第２信号線は、第１方向に配列された複数の第２副画素からなる第２副画素群と接続されていてもよい。
【００１９】
また、他の一態様として、当該表示装置は、第１スイッチング素子および第２スイッチング素子と、入力部と、の接続状態を制御する制御部を有してもよい。また、制御部は、第１スイッチング素子および第２スイッチング素子を順次切り換えることにより、第１副画素群および第２副画素群が選択的に入力部と接続されるように、制御してもよい。
【図面の簡単な説明】
【００２０】
【図１】実施の形態１の表示装置の一例を示す平面図である。
【図２】実施の形態１の表示装置の一例を示す断面図である。
【図３】実施の形態１の表示装置の一例を示す断面図である。
【図４】実施の形態１の表示装置の等価回路を示す図である。
【図５】実施の形態１における信号線およびトランジスタの等価回路を示す図である。
【図６】実施の形態１における信号線およびトランジスタの平面図である。
【図７】実施の形態１におけるトランジスタの断面図である。
【図８】実施の形態１の信号線およびトランジスタの他の例の平面図である。
【図９】比較例における信号線およびトランジスタの平面図である。
【図１０】比較例におけるトランジスタの平面図である。
【図１１】実施の形態１におけるトランジスタの平面図である。
【図１２】実施の形態１における信号線およびトランジスタのさらに他の例の平面図である。
【図１３】実施の形態２における信号線およびトランジスタの平面図である。
【図１４】実施の形態２における信号線およびトランジスタの他の例の平面図である。
【図１５】実施の形態２におけるトランジスタの平面図である。
【図１６】実施の形態２におけるトランジスタの他の例の平面図である。
【図１７】実施の形態２における信号線およびトランジスタのさらに他の例の平面図である。
【図１８】実施の形態２の変形例におけるトランジスタの平面図である。
【発明を実施するための形態】
【００２１】
以下に、本発明の各実施の形態について、図面を参照しつつ説明する。
【００２２】
なお、開示はあくまで一例にすぎず、当業者において、発明の主旨を保っても適宜変更について容易に想到し得るものについては、当然に本発明の範囲に含有されるものである。また、図面は説明をより明確にするため、実施の態様に比べ、各部の幅、厚さ、形状等について模式的に表される場合があるが、あくまで一例であって、本発明の解釈を限定するものではない。
【００２３】
また本明細書と各図において、既出の図に関して前述したものと同様の要素には、同一の符号を付して、詳細な説明を適宜省略することがある。
【００２４】
さらに、実施の形態で用いる図面においては、断面図であっても図面を見やすくするためにハッチングを省略する場合もある。また、平面図であっても図面を見やすくするためにハッチングを付す場合もある。
【００２５】
以下の実施の形態で説明する技術は、表示機能層が設けられた表示領域に設けられた複数の素子に、表示領域の周囲から信号を供給する機構を備える表示装置に広く適用可能である。上記のような表示装置には、例えば、液晶表示装置、あるいは有機ＥＬ（Electro-Luminescence）表示装置など、種々の表示装置が例示できる。以下の実施の形態では、表示装置の代表例として、液晶表示装置を取り上げて説明する。
【００２６】
また、液晶表示装置は、表示機能層である液晶層の液晶分子の配向を変化させるための電界の印加方向により、大きくは以下の２通りに分類される。すなわち、第１の分類として、表示装置の厚さ方向（あるいは面外方向）に電界が印加される、いわゆる縦電界モードがある。縦電界モードには、例えばＴＮ（Twisted Nematic）モードや、ＶＡ（Vertical Alignment）モードなどがある。また、第２の分類として、表示装置の平面方向（あるいは面内方向）に電界が印加される、いわゆる横電界モードがある。横電界モードには、例えばＩＰＳ（In-Plane Switching）モードや、ＩＰＳモードの一つであるＦＦＳ（Fringe Field Switching）モードなどがある。以下で説明する技術は、縦電界モードおよび横電界モードのいずれにも適用できるが、以下で説明する実施の形態では、一例として、横電界モードの表示装置を取り上げて説明する。
【００２７】
（実施の形態１）
＜表示装置の構成＞
まず、表示装置の構成について説明する。図１は、実施の形態１の表示装置の一例を示す平面図である。図２および図３は、実施の形態１の表示装置の一例を示す断面図である。図２は、図１のＡ−Ａ線に沿った断面図である。また、図３は、図２のＢ部の拡大断面図である。
【００２８】
なお、図１では、平面視における表示領域ＤＰＡと額縁領域（周辺領域）ＦＬＡの境界を見易くするため、表示領域ＤＰＡの輪郭を二点鎖線で示している。また、図１に示す複数の映像信号線ＳＬは、額縁領域ＦＬＡから表示領域ＤＰＡまで延びている。しかし、図１では見易さのため、表示領域ＤＰＡでは、映像信号線ＳＬの図示を省略している。また、図２は、断面であるが、見易さのためにハッチングは省略した。なお、映像信号線を単に信号線と称することもある。
【００２９】
図１に示すように、本実施の形態１の表示装置ＬＣＤ１は、画像を表示する表示部ＤＰを有する。基板ＢＳの主面としての前面ＢＳｆ（図２参照）側の領域であって、表示部ＤＰが設けられた領域が、表示領域ＤＰＡである。また、表示装置ＬＣＤ１は、平面視において、表示部ＤＰの周囲の枠状の部分であって、画像を表示しない額縁部（周辺部）ＦＬを有する。額縁部ＦＬが設けられた領域が、額縁領域ＦＬＡである。すなわち、額縁領域ＦＬＡは、表示領域ＤＰＡの周囲の枠状の領域であるが、枠状に限定されるものではない。
【００３０】
なお、本願明細書において、平面視において、とは、基板ＢＳの主面としての前面ＢＳｆに垂直な方向から視た場合を意味する。
【００３１】
また、表示装置ＬＣＤ１は、対向配置される一対の基板の間に、表示機能層である液晶層が形成された構造を備える。すなわち、図２に示すように、表示装置ＬＣＤ１は、表示面側の基板ＦＳ、基板ＦＳの反対側に位置する基板ＢＳ、および、基板ＦＳと基板ＢＳとの間に配置される液晶層ＬＣＬ（図３参照）を有する。
【００３２】
また、図１に示す基板ＢＳは、平面視において、Ｘ方向に沿って延びる辺ＢＳｓ１、辺ＢＳｓ１に平行してＸ方向に沿って延びる辺ＢＳｓ２、Ｘ方向に対して交差、好適には直交するＹ方向に沿って延びる辺ＢＳｓ３、および、辺ＢＳｓ３に平行してＹ方向に沿って延びる辺ＢＳｓ４を有する。図１に示す基板ＢＳが有する辺ＢＳｓ２、辺ＢＳｓ３、および辺ＢＳｓ４のそれぞれから表示部ＤＰまでの距離は、同程度であって、辺ＢＳｓ１から表示部ＤＰまでの距離よりも短い。
【００３３】
以下、本願明細書において、基板ＢＳの周縁部と記載した場合には、基板ＢＳの外縁を構成する辺ＢＳｓ１、辺ＢＳｓ２、辺ＢＳｓ３、および、辺ＢＳｓ４のうちのいずれかを意味する。また、単に周縁部と記載した場合には、基板ＢＳの周縁部を意味する。
【００３４】
表示部ＤＰは、複数の表示素子としての画素Ｐｉｘ（後述する図４参照）を有する。すなわち、複数の画素Ｐｉｘは、表示領域ＤＰＡに設けられている。複数の画素Ｐｉｘは、Ｘ方向およびＹ方向にマトリクス状に配列されている。本実施の形態１では、複数の画素Ｐｉｘの各々は、基板ＢＳの主面としての前面ＢＳｆ側の表示領域ＤＰＡに形成された薄膜トランジスタ（Thin-Film Transistor：ＴＦＴ）を有する。
【００３５】
表示装置ＬＣＤ１は、後述する図４を用いて説明するように、複数の走査線ＧＬと、複数の信号線ＳＬと、を有する。後述する図４を用いて説明するように、複数の走査線ＧＬの各々は、Ｘ方向に配列された複数の画素Ｐｉｘと電気的に接続され、複数の信号線ＳＬの各々は、Ｙ方向に配列された複数の画素Ｐｉｘと電気的に接続されている。
【００３６】
また、表示装置ＬＣＤ１は、回路部ＣＣを有する。回路部ＣＣは、走査線駆動回路ＣＧと、信号線駆動回路ＣＳと、を含む。走査線駆動回路ＣＧは、複数の走査線ＧＬを介して、複数の画素Ｐｉｘと電気的に接続され、信号線駆動回路（映像信号線駆動回路）ＣＳは、複数の信号線ＳＬを介して、複数の画素Ｐｉｘと電気的に接続されている。
【００３７】
また、図１に示す例では、額縁領域ＦＬＡのうち、基板ＢＳの辺ＢＳｓ１と表示部ＤＰとの間の部分である、額縁領域ＦＬＡ１には、半導体チップＣＨＰが設けられている。半導体チップＣＨＰ内には、信号線駆動回路ＣＳが設けられている。したがって、信号線駆動回路ＣＳは、基板ＢＳの主面としての前面ＢＳｆ側の領域であって、Ｙ方向において、表示領域ＤＰＡに対して負側に配置された領域である額縁領域ＦＬＡ１に設けられている。
【００３８】
なお、半導体チップＣＨＰは、いわゆるＣＯＧ（Chip On Glass）技術を用いて額縁領域ＦＬＡ１に設けられてもよく、あるいは、基板ＢＳの外部に設けられ、ＦＰＣ（Flexible Printed Circuits）を介して表示装置ＬＣＤ１と接続されてもよい。また、信号線ＳＬの配置の詳細については、後述する図４を用いて説明する。
【００３９】
また、表示装置ＬＣＤ１は、平面視において、額縁領域ＦＬＡに形成されたシール部を有する。シール部は、表示部ＤＰの周囲を連続的に囲むように形成され、図２に示す基板ＦＳと基板ＢＳは、シール部に設けられるシール材より接着固定される。このように、表示部ＤＰの周囲にシール部を設けることで、表示機能層である液晶層ＬＣＬ（図３参照）を封止することができる。
【００４０】
また、図２に示すように、表示装置ＬＣＤ１の基板ＢＳの背面ＢＳｂ側には、光源ＬＳから発生した光を偏光する偏光板ＰＬ２が設けられている。偏光板ＰＬ２は、基板ＢＳに固定されている。一方、基板ＦＳの前面ＦＳｆ側には、偏光板ＰＬ１が設けられている。偏光板ＰＬ１は、基板ＦＳに固定されている。
【００４１】
なお、図２では、表示画像を形成するための基本的な構成部品を例示的に示しているが、変形例としては図２に示す構成部品に加えて、他の部品を追加することができる。例えば、偏光板ＰＬ１を傷や汚れなどから保護する保護層として、保護フイルムやカバー部材を偏光板ＰＬ１の前面側に取り付けてもよい。また例えば、偏光板ＰＬ１およびＰＬ２に、位相差板などの光学素子を貼り付ける実施態様を適用することができる。あるいは、基板ＦＳおよび基板ＢＳのそれぞれに、光学素子を成膜する方法を適用することができる。
【００４２】
また、図３に示すように、表示装置ＬＣＤ１は、基板ＦＳと基板ＢＳの間に配置される複数の画素電極ＰＥ、および共通電極ＣＥを有する。本実施の形態１の表示装置ＬＣＤ１は、上記したように横電界モードの表示装置なので、複数の画素電極ＰＥおよび共通電極ＣＥは、それぞれ基板ＢＳに形成されている。
【００４３】
図３に示す、基板ＢＳは、ガラス基板などからなる基材ＢＳｇを有し、主として画像表示用の回路が基材ＢＳｇに形成されている。基板ＢＳは、基板ＦＳ側に位置する前面ＢＳｆおよびその反対側に位置する背面ＢＳｂ（図２参照）を有する。また、基板ＢＳの前面ＢＳｆ側には、ＴＦＴなどの表示素子と、複数の画素電極ＰＥがマトリクス状に形成されている。
【００４４】
図３に示す例は、横電界モード（詳しくはＦＦＳモード）の表示装置ＬＣＤ１を示しているので、共通電極ＣＥは、基板ＢＳが備える基材ＢＳｇの前面側に形成され、絶縁層ＯＣ２に覆われる。また、複数の画素電極ＰＥは、絶縁層ＯＣ２を介して共通電極ＣＥと対向するように絶縁層ＯＣ２の基板ＦＳ側に形成される。
【００４５】
また、図３に示す基板ＦＳは、ガラス基板などからなる基材ＦＳｇに、カラー表示の画像を形成するカラーフィルタＣＦが形成された基板であって、表示面側である前面ＦＳｆ（図２参照）および前面ＦＳｆの反対側に位置する背面ＦＳｂを有する。基板ＦＳのように、カラーフィルタＣＦが形成された基板は、上記したＴＦＴが形成されたＴＦＴ基板と区別する際に、カラーフィルタ基板、あるいは、液晶層を介してＴＦＴ基板と対向するため、対向基板と呼ばれる。なお、図３に対する変形例としては、カラーフィルタＣＦをＴＦＴ基板に設ける構成を採用してもよい。
【００４６】
基板ＦＳは、例えばガラス基板などの基材ＦＳｇの一方の面に、Ｒ（赤）、Ｇ（緑）およびＢ（青）の３色のカラーフィルタ画素ＣＦｒ、ＣＦｇおよびＣＦｂを周期的に配列して構成された力ラーフィルタＣＦが形成されている。カラー表示装置では、例えばこのＲ（赤）、Ｇ（緑）およびＢ（青）の３色のサブピクセルを１組として、１画素（１ピクセルともいう）を構成する。基板ＦＳの複数のカラーフィルタ画素ＣＦｒ、ＣＦｇおよびＣＦｂは、基板ＢＳに形成されている画素電極ＰＥを有するそれぞれのサブピクセルと、互いに対向する位置に配置されている。
【００４７】
また、各色のカラーフィルタ画素ＣＦｒ、ＣＦｇおよびＣＦｂのそれぞれの境界には、遮光膜ＢＭが形成されている。遮光膜ＢＭはブラックマトリクスと呼ばれ、例えば黒色の樹脂や、低反射性の金属からなる。遮光膜ＢＭは、平面視において、格子状に形成される。言い換えれば、基板ＦＳは、格子状に形成された遮光膜ＢＭの開口部に形成された、各色のカラーフィルタ画素ＣＦｒ、ＣＦｇおよびＣＦｂを有する。なお、１画素を構成するものはＲ（赤）、Ｇ（緑）、Ｂ（青）の３色に限定されるものではなく、更に透明なフィルタを有するＷ（白）などを有してもよい。また、ブラックマトリクスは格子状に限定されるものでなく、ストライプ状のものであってもよい。
【００４８】
額縁領域ＦＬＡは、遮光膜ＢＭにより覆われている。遮光膜ＢＭは表示領域ＤＰＡ内にも形成されるが、表示領域ＤＰＡでは、遮光膜ＢＭに複数の開口部が形成されている。一般的に、遮光膜ＢＭに形成され、カラーフィルタＣＦが埋め込まれた開口部のうち、周縁部側に形成された開口部の端部が、表示領域ＤＰＡと額縁領域ＦＬＡの境界として規定される。なお、開口部の端部よりも周縁部側にダミーのカラーフィルタを設けてもよい。
【００４９】
また、基板ＦＳは、カラーフィルタＣＦを覆う樹脂層ＯＣ１を有する。各色のカラーフィルタ画素ＣＦｒ、ＣＦｇおよびＣＦｂの境界には、遮光膜ＢＭが形成されているので、カラーフィルタＣＦの内面は、凹凸面になっている。樹脂層ＯＣ１は、カラーフィルタＣＦの内面の凹凸を平坦化する平坦化膜として機能する。あるいは、樹脂層ＯＣ１は、カラーフィルタＣＦから液晶層に対して不純物が拡散するのを防止する保護膜として機能する。樹脂層ＯＣ１は、材料に、熱硬化性樹脂成分、あるいは、光硬化性樹脂成分など、エネルギーを付与することで硬化する成分を含有させることにより、樹脂材料を硬化させることができる。
【００５０】
また、基板ＦＳと基板ＢＳの間には、画素電極ＰＥと共通電極ＣＥとの間に表示用電圧が印加されることで表示画像を形成する液晶層ＬＣＬが設けられる。液晶層ＬＣＬは、印加された電界の状態に応じてそこを通過する光を変調するものである。
【００５１】
また、基板ＦＳは、液晶層ＬＣＬと接する界面である背面ＦＳｂに、樹脂層ＯＣ１を覆う配向膜ＡＦ１を有する。また、基板ＢＳは、液晶層ＬＣＬと接する界面である前面ＢＳｆに、絶縁層ＯＣ２および複数の画素電極ＰＥを覆う配向膜ＡＦ２を有する。この配向膜ＡＦ１およびＡＦ２は、液晶層ＬＣＬに含まれる液晶の初期配向を揃えるために形成された樹脂膜であって、例えばポリイミド樹脂からなる。
【００５２】
図３に示す表示装置ＬＣＤ１によるカラー画像の表示方法は、例えば以下の通りである。すなわち、光源ＬＳ（図２参照）から出射された光は、偏光板ＰＬ２（図２参照）によってフィルタリングされ、偏光板ＰＬ２を通過する光が液晶層ＬＣＬに入射する。液晶層ＬＣＬに入射した光は、液晶の屈折率異方性（言い換えれば複屈折）に応じて偏光状態を変化させて液晶層ＬＣＬの厚さ方向（言い換えれば基板ＢＳから基板ＦＳに向かう方向）に伝搬され、基板ＦＳから出射される。この時、画素電極ＰＥと共通電極ＣＥに電圧を印加して形成される電界により、液晶の配向が制御され、液晶層ＬＣＬは光学的なシャッターとして機能する。つまり、液晶層ＬＣＬにおいて、サブピクセル毎に光の透過率を制御することができる。基板ＦＳに到達した光は、基板ＦＳに形成されたカラーフィルタＣＦにおいて、色フィルタリング処理（すなわち、所定の波長以外の光を吸収する処理）が施され、前面ＦＳｆから出射される。また、前面ＦＳｆから出射された光は、偏光板ＰＬ１を介して観者ＶＷに到達する。
【００５３】
なお、液晶層ＬＣＬの厚さは、基板ＦＳや基板ＢＳの厚さと比較して極端に薄い。例えば、液晶層ＬＣＬの厚さは、基板ＦＳや基板ＢＳの厚さと比較すると、０．１％〜１０％程度の厚さである。図３に示す例では、液晶層ＬＣＬの厚さは、例えば３μｍ〜４μｍ程度である。
【００５４】
＜表示装置の等価回路＞
次に、表示装置の等価回路について説明する。図４は、実施の形態１の表示装置の等価回路を示す図である。
【００５５】
図４に示すように、表示装置ＬＣＤ１の表示部ＤＰは、複数の画素Ｐｉｘを有する。複数の画素Ｐｉｘは、Ｘ方向およびＹ方向にマトリクス状に配列されている。
【００５６】
また、表示装置ＬＣＤ１は、複数の走査線ＧＬと、複数の信号線ＳＬと、を有する。複数の走査線ＧＬは、Ｘ方向にそれぞれ延在し、かつ、Ｙ方向に配列されている。複数の信号線ＳＬは、Ｙ方向にそれぞれ延在し、かつ、Ｘ方向に配列されている。複数の信号線ＳＬと、複数の走査線ＧＬとは、互いに交差する。
【００５７】
複数の画素Ｐｉｘの各々は、Ｒ（赤）、Ｇ（緑）およびＢ（青）の各々の色を表示する副画素ＳＰｉｘを含む。副画素ＳＰｉｘの各々は隣り合う２本の走査線ＧＬと、隣り合う２本の信号線ＳＬとに囲まれた領域に設けられているが、隣り合う２本の走査線ＧＬと、隣り合う２本の信号線ＳＬとに囲まれた領域に２つの副画素を設ける構成であってもよい。
【００５８】
各副画素ＳＰｉｘは、薄膜トランジスタからなるトランジスタＴｒｄと、トランジスタＴｒｄのドレイン電極に接続される画素電極ＰＥと、画素電極ＰＥと液晶層を挟んで対向する共通電極ＣＥと、を有する。なお、Ｃｌｃは液晶層を等価的に示す液晶容量である。さらに、図４では、共通電極ＣＥと画素電極ＰＥとの間に形成される保持容量の図示は省略している。なお、液晶層には極性の異なる電位が供給されるので、薄膜トランジスタのドレイン電極とソース電極は電位の極性によって適宜入れ替わることとなる。
【００５９】
表示装置ＬＣＤ１は、信号線駆動回路ＣＳと、走査線駆動回路ＣＧと、表示制御回路ＣＴＬと、共通電極駆動回路ＣＭと、を有する。
【００６０】
Ｙ方向に配列された複数の副画素ＳＰｉｘのトランジスタＴｒｄの各々のソース電極は、信号線ＳＬに接続されている。また、複数の信号線ＳＬの各々は、表示データに対応し、各副画素ＳＰｉｘに供給される映像信号が入力される入力部としての信号線駆動回路ＣＳに接続される。すなわち、複数の信号線ＳＬは、複数の副画素ＳＰｉｘと信号線駆動回路ＣＳとを接続する。
【００６１】
また、Ｘ方向に配列された複数の副画素ＳＰｉｘのトランジスタＴｒｄの各々のゲート電極は、走査線ＧＬに接続されている。また、各走査線ＧＬは、１水平走査時間、各副画素ＳＰｉｘに供給される走査信号を供給する走査線駆動回路ＣＧに接続される。
【００６２】
表示制御回路ＣＴＬは、表示装置の外部から送信されてくる表示データ、クロック信号、およびディスプレイタイミング信号等の表示制御信号に基づいて、信号線駆動回路ＣＳ、走査線駆動回路ＣＧ、および共通電極駆動回路ＣＭを、制御する。
【００６３】
表示制御回路ＣＴＬは、表示装置の副画素の配列や、表示方法、あるいはタッチパネルの有無等によって、外部から供給される表示データや表示制御信号を適宜変換して信号線駆動回路ＣＳ、走査線駆動回路ＣＧ、および共通電極駆動回路ＣＭに出力する。
【００６４】
副画素ＳＰｉｘのそれぞれに接続される信号線ＳＬは、信号線ＳＬ１、ＳＬ２およびＳＬ３を有する。それらはＲＧＢスイッチ回路ＳＷＳに接続される。信号線ＳＬ１は、Ｂ（青）の色を表示する副画素ＳＰｉｘと接続された、Ｂ（青）用の信号線である。信号線ＳＬ２は、Ｂ（青）の色とは異なるＧ（緑）の色を表示する副画素ＳＰｉｘと接続された、Ｇ（緑）用の信号線である。信号線ＳＬ３は、Ｂ（青）およびＧ（緑）のいずれの色とも異なるＲ（赤）の色を表示する副画素ＳＰｉｘと接続された、Ｒ（赤）用の信号線である。
【００６５】
具体的には、信号線ＳＬ１は、Ｂ（青）の色をそれぞれ表示し、かつ、Ｙ方向に配列された複数の副画素ＳＰｉｘからなる副画素群ＳＰＧ１と、接続されている。信号線ＳＬ２は、Ｇ（緑）の色をそれぞれ表示し、かつ、Ｙ方向に配列された複数の副画素ＳＰｉｘからなる副画素群ＳＰＧ２と、接続されている。信号線ＳＬ３は、Ｒ（赤）の色をそれぞれ表示し、かつ、Ｙ方向に配列された複数の副画素ＳＰｉｘからなる副画素群ＳＰＧ３と、接続されている。
【００６６】
前述したように、複数の信号線ＳＬは、Ｙ方向にそれぞれ延在し、かつ、Ｘ方向に配列されている。したがって、信号線ＳＬ１、ＳＬ２およびＳＬ３の各々は、Ｙ方向に延在する。なお、本実施の形態１では、複数の副画素ＳＰｉｘの各々は、隣り合う２本の走査線ＧＬと、信号線ＳＬ１、ＳＬ２およびＳＬ３のうち隣り合う２本の信号線と、に囲まれた領域に設けられている。
【００６７】
ＲＧＢスイッチ回路ＳＷＳは、信号線ＳＬ１、ＳＬ２およびＳＬ３を、信号線駆動回路ＣＳに選択的に接続する選択部である。また、ＲＧＢスイッチ回路ＳＷＳは、スイッチング素子としてのトランジスタＴｒ１、Ｔｒ２およびＴｒ３を有する。トランジスタＴｒ１、Ｔｒ２およびＴｒ３の各々は、例えば薄膜トランジスタである。
【００６８】
トランジスタＴｒ１は、Ｂ（青）用の信号線ＳＬ１と、信号線駆動回路ＣＳと、を接続する。トランジスタＴｒ２は、Ｇ（緑）用の信号線ＳＬ２と、信号線駆動回路ＣＳと、を接続する。トランジスタＴｒ３は、Ｒ（赤）用の信号線ＳＬ３と、信号線駆動回路ＣＳと、を接続する。
【００６９】
トランジスタＴｒ１、Ｔｒ２およびＴｒ３は、表示制御回路ＣＴＬから出力されるスイッチ切替信号ＳＥＬ１、ＳＥＬ２およびＳＥＬ３の各々により、それぞれ制御される。トランジスタＴｒ１はスイッチ切替信号ＳＥＬ１によりオンオフが制御され、トランジスタＴｒ２はスイッチ切替信号ＳＥＬ２によりオンオフが制御され、トランジスタＴｒ３はスイッチ切替信号ＳＥＬ３によりオンオフが制御される。
【００７０】
具体的には、１水平走査期間の第１期間に、トランジスタＴｒ３がオン、トランジスタＴｒ２とトランジスタＴｒ１とがオフとなり、信号線駆動回路ＣＳから出力されたＲ（赤）用の映像信号を、Ｒ（赤）用の信号線ＳＬ３に出力する。次に、１水平走査期間の第２期間に、トランジスタＴｒ２がオン、トランジスタＴｒ３とトランジスタＴｒ１とがオフとなり、信号線駆動回路ＣＳから出力されたＧ（緑）用の映像信号を、Ｇ（緑）用の信号線ＳＬ２に出力する。次に、１水平走査期間の第３期間に、トランジスタＴｒ１がオン、トランジスタＴｒ３とトランジスタＴｒ２とがオフとなり、信号線駆動回路ＣＳから出力されたＢ（青）用の映像信号を、Ｂ（青）用の信号線ＳＬ１に出力する。
【００７１】
このようにして、信号線駆動回路ＣＳは、１水平走査期間毎に、表示データに対応する映像信号を映像信号線ＳＬに供給する。
【００７２】
すなわち、表示制御回路ＣＴＬは、トランジスタＴｒ１、Ｔｒ２およびＴｒ３の各々と信号線駆動回路ＣＳとの接続状態を制御する制御部である。そして、表示制御回路ＣＴＬは、トランジスタＴｒ１、Ｔｒ２およびＴｒ３を順次切り換える。これにより、表示制御回路ＣＴＬは、Ｂ（青）色を表示する複数の副画素ＳＰｉｘからなる副画素群ＳＰＧ１、Ｇ（緑）色を表示する複数の副画素ＳＰｉｘからなる副画素群ＳＰＧ２、および、Ｒ（赤）色を表示する複数の副画素ＳＰｉｘからなる副画素群ＳＰＧ３が、選択的に信号線駆動回路ＣＳと接続されるように、制御する。
【００７３】
表示制御回路ＣＴＬは、信号線駆動回路ＣＳがＲ（赤）用の映像信号、Ｇ（緑）用の映像信号、およびＢ（青）用の映像信号を１水平期間内に時分割で出力するように制御するのに合わせ、ＲＧＢスイッチ回路のトランジスタＴｒ３、トランジスタＴｒ２、およびトランジスタＴｒ１のオンオフを制御する。更に、各色の映像信号を出力している期間、映像信号が書き込まれる副画素のトランジスタＴｒｄのオン状態を維持するように走査線駆動回路ＣＧを制御する。
【００７４】
なお、ＲＧＢスイッチ回路は、単にＲＧＢスイッチと言ったり、信号線スイッチ、あるいは時分割スイッチということもある。なお、本明細書では、赤、緑、および青の副画素に接続された３本の信号線にＲＧＢスイッチ回路が一つ設けられているが、２つの副画素に接続された２本の信号線にＲＧＢスイッチ回路を設ける構成であってもよい。あるいは、２画素、つまり、６つの副画素に接続された６本の信号線に一つのＲＧＢスイッチ回路を設けてもよい。この場合、信号線駆動回路は１水平期間に映像信号を６回出力することになる。各副画素への映像信号の書き込み状況や信号線駆動回路の処理能力によって時分割数は任意に設定することが可能である。
【００７５】
これにより、走査線駆動回路ＣＧは、１水平走査時間毎に、上から下に向かって、あるいは、下から上に向かって順次走査線ＧＬを選択し、選択した走査線ＧＬに供給される走査信号を出力し、当該選択された走査線ＧＬに接続された複数の副画素ＳＰｉｘのトランジスタＴｒｄが、１水平走査期間導通する。そして、信号線ＳＬ１、ＳＬ２またはＳＬ３に供給された映像信号は、１水平走査期間導通状態であるトランジスタＴｒｄを経由して、画素電極ＰＥに出力され、最終的に、保持容量（図示せず）と、液晶容量Ｃｌｃに電荷がチャージされ、液晶分子の配向をコントロールする。これにより、表示部ＤＰにおいて、画像が表示される。
【００７６】
＜信号線およびトランジスタ＞
次に、信号線およびＲＧＢスイッチのトランジスタの配置について、説明する。図５は、実施の形態１における信号線およびトランジスタの等価回路を示す図である。図６は、実施の形態１における信号線およびトランジスタの平面図である。図７は、実施の形態１におけるトランジスタの断面図である。図７は、図６のＣ−Ｃ線に沿った断面図である。
【００７７】
なお、以下では、各画素が、例えばＢ（青）およびＧ（緑）の２つの色の副画素ＳＰｉｘを有する場合を例示して説明する。しかし、図４を用いて説明したように、各画素ＰｉｘがＲ（赤）、Ｇ（緑）およびＢ（青）の３つの副画素ＳＰｉｘを有する場合には、後述する図８を用いて説明するように、映像信号線は、信号線ＳＬ１、ＳＬ２およびＳＬ３、ならびに、トランジスタＴｒ１、Ｔｒ２およびＴｒ３を有する。
【００７８】
図６では、信号線ＳＬ１およびＳＬ２を、二点鎖線で示す（信号線ＳＬ３も含め、以下の各平面図においても同様）。また、図７では、ソース電極ＳＥｓ、ドレイン電極ＤＥｓ、および、露出した絶縁膜ＩＦｓ、よりも上の部分の図示を省略する。
【００７９】
図５に示す例では、複数の映像信号線ＳＬの各々は、信号線ＳＬ１およびＳＬ２、ならびに、トランジスタＴｒ１およびＴｒ２を有する。信号線ＳＬ１は、Ｂ（青）の副画素ＳＰｉｘ（図４参照）と接続されている。信号線ＳＬ２は、Ｇ（緑）の副画素ＳＰｉｘ（図４参照）と接続されている。トランジスタＴｒ１は、信号線ＳＬ１と信号線駆動回路ＣＳ（図４参照）とを接続する。トランジスタＴｒ２は、信号線ＳＬ２と信号線駆動回路ＣＳ（図４参照）とを接続する。信号線駆動回路が半導体チップで形成されている場合、トランジスタＴｒ１およびトランジスタＴｒ２と信号線駆動回路との間には、端子や異方性導電シート、あるいは、フレキシブル配線基板等が介在する場合があるが、それらは省略している。
【００８０】
トランジスタＴｒ１およびＴｒ２の各々は、基板ＢＳの主面としての前面ＢＳｆ（図２参照）側の領域である額縁領域ＦＬＡ１に設けられている。額縁領域ＦＬＡ１は、額縁領域ＦＬＡのうち、表示領域ＤＰＡに対して、Ｙ方向における負側に配置されている。
【００８１】
額縁領域ＦＬＡ１は、額縁領域ＦＬＡ１１と、額縁領域ＦＬＡ１２と、を含む。額縁領域ＦＬＡ１２は、額縁領域ＦＬＡ１１に対して表示領域ＤＰＡ側に配置されている。トランジスタＴｒ１は、額縁領域ＦＬＡ１１に設けられ、トランジスタＴｒ２は、額縁領域ＦＬＡ１２に設けられている。
【００８２】
なお、半導体チップＣＨＰが額縁領域ＦＬＡ１に設けられている場合、信号線駆動回路ＣＳは、額縁領域ＦＬＡ１のうち、額縁領域ＦＬＡ１１を挟んで表示領域ＤＰＡと反対側に配置された領域である額縁領域ＦＬＡ１ｃに配置されることになる。
【００８３】
トランジスタＴｒ１は、平面視において、Ｙ方向に対して、Ｘ方向における一方の側、例えばＸ方向における負側に角度θ１１だけ傾斜した方向ＤＲ１１に延在する。すなわち、トランジスタＴｒ１は、Ｙ方向に対して、Ｘ方向における負側に傾斜した方向ＤＲ１１に延在する延在部ＥＸ１１を含む。これにより、後述する図９〜図１１を用いて説明するように、トランジスタＴｒ１が配置される領域である額縁領域ＦＬＡ１１のＹ方向における長さ寸法を、短くすることができる。
【００８４】
なお、本願明細書では、ある方向に対して傾斜した、とは、その方向となす角度の絶対値が９０°未満であることを意味する。
【００８５】
図６に示す例では、トランジスタＴｒ２は、Ｙ方向に延在する。あるいは、トランジスタＴｒ１が、Ｙ方向に延在し、トランジスタＴｒ２が、方向ＤＲ１１に延在してもよい。すなわち、本実施の形態１では、トランジスタＴｒ１およびＴｒ２のうち、少なくとも一方が、平面視において、信号線ＳＬ１およびＳＬ２が延在する方向であるＹ方向に対して傾斜した方向ＤＲ１１に延在する。これにより、Ｙ方向における額縁領域ＦＬＡ１の長さ寸法を短くすることができる。
【００８６】
なお、図６で示されているように、トランジスタＴｒ２の間には、トランジスタＴｒ１から表示領域ＤＰＡに向けて延在する信号線ＳＬ１が配置されている。しかし、トランジスタＴｒ１の間には、表示領域ＤＰＡに向けて延在する信号線を設ける必要はない。トランジスタＴｒ１の間には信号線の幅分の余裕が存在することとなる。そのため、トランジスタＴｒ２をＹ方向に対して傾斜させるよりも、トランジスタＴｒ１をＹ方向に傾斜させて、例えば方向ＤＲ１１に延在させる方が容易となる。なお、トランジスタＴｒ２と信号線ＳＬ１との間に余裕がある場合、トランジスタＴｒ１がＹ方向に対して傾斜した角度θ１１よりも小さい角度でトランジスタＴｒ２を傾斜させることが可能である。これにより、額縁領域ＦＬＡ１２のＹ方向における長さ寸法も短くすることができる。
【００８７】
図７に示すように、トランジスタＴｒ１は、薄膜トランジスタであり、ゲート電極ＧＥｓと、ゲート絶縁膜ＧＩｓと、半導体層ＳＣｓと、ソース電極ＳＥｓと、ドレイン電極ＤＥｓと、を有する。
【００８８】
図６および図７に示すように、基材ＢＳｇ上には、ゲート電極ＧＥｓが設けられている。平面視において、ゲート電極ＧＥｓは、方向ＤＲ１１に延在する。また、ゲート電極ＧＥｓは、ゲート配線ＧＬｓから例えばＹ方向の負側に延設されている。ゲート電極ＧＥｓおよびゲート配線ＧＬｓの各々は、例えばアルミニウム（Ａｌ）またはモリブデン（Ｍｏ）等の金属からなる。
【００８９】
ゲート電極ＧＥｓを覆うように、ゲート絶縁膜ＧＩｓが設けられている。すなわち、ゲート絶縁膜ＧＩｓは、基材ＢＳｇ上に、ゲート電極ＧＥｓを覆うように、設けられている。ゲート絶縁膜ＧＩｓは、例えば窒化ケイ素または酸化ケイ素等からなる透明な絶縁膜である。
【００９０】
平面視においてゲート電極ＧＥｓと重なる部分のゲート絶縁膜ＧＩｓ上には、半導体層ＳＣｓが設けられている。また、半導体層ＳＣｓは、例えば非晶質シリコンまたは多結晶シリコン等からなる。
【００９１】
平面視において、方向ＤＲ１１と直交する方向を、方向ＤＲ１１ｔとする。このとき、半導体層ＳＣｓは、方向ＤＲ１１ｔにおけるゲート電極ＧＥｓの負側に配置された部分のゲート絶縁膜ＧＩｓ上から、方向ＤＲ１１ｔにおけるゲート電極ＧＥｓの正側に配置された部分のゲート絶縁膜ＧＩｓ上にかけて、設けられている。
【００９２】
半導体層ＳＣｓのうち、平面視においてゲート電極ＧＥｓと重なる部分は、チャネル領域ＣＨｓである。半導体層ＳＣｓのうち、方向ＤＲ１１ｔにおけるゲート電極ＧＥｓの負側に配置された部分は、ソース領域ＳＲｓである。半導体層ＳＣｓのうち、方向ＤＲ１１ｔにおけるゲート電極ＧＥｓの正側に配置された部分は、ドレイン領域ＤＲｓである。ソース領域ＳＲｓは、チャネル領域ＣＨｓの方向ＤＲ１１ｔにおける負側の端部と接触し、ドレイン領域ＤＲｓは、チャネル領域ＣＨｓの方向ＤＲ１１ｔにおける正側の端部と接触している。
【００９３】
トランジスタＴｒ１のソース電極ＳＥｓは、信号線ＳＬを介して、信号線駆動回路ＣＳ（図４参照）と接続されている。また、トランジスタＴｒ１のドレイン電極ＤＥｓは、信号線ＳＬ１と接続されている。
【００９４】
なお、ソース領域ＳＲｓとドレイン領域ＤＲｓとを入れ替えてもよく、ソース電極ＳＥｓとドレイン電極ＤＥｓとを入れ替えてもよい（以下、トランジスタＴｒ２およびＴｒ３も含めて同様）。
【００９５】
チャネル領域ＣＨｓ、ソース領域ＳＲｓ、ドレイン領域ＤＲｓ、および、ゲート絶縁膜ＧＩｓの露出した部分を覆うように、絶縁膜ＩＦｓが設けられている。絶縁膜ＩＦｓは、例えば窒化ケイ素または酸化ケイ素等からなる透明な絶縁膜である。
【００９６】
ソース領域ＳＲｓ上に位置する部分の絶縁膜ＩＦｓには、絶縁膜ＩＦｓを貫通してソース領域ＳＲｓに達するコンタクトホールＨＬｓが形成され、ドレイン領域ＤＲｓ上に位置する部分の絶縁膜ＩＦｓには、絶縁膜ＩＦｓを貫通してドレイン領域ＤＲｓに達するコンタクトホールＨＬｓが形成されている。コンタクトホールＨＬｓの内部、および、絶縁膜ＩＦｓ上には、ソース電極ＳＥｓが形成され、コンタクトホールＨＬｓの内部、および、絶縁膜ＩＦｓ上には、ドレイン電極ＤＥｓが形成されている。ソース電極ＳＥｓは、ソース領域ＳＲｓと電気的に接続され、ドレイン電極ＤＥｓは、ドレイン領域ＤＲｓと電気的に接続されている。また、ドレイン電極ＤＥｓは、信号線ＳＬ１と接続されている。ソース電極ＳＥｓ、ドレイン電極ＤＥｓおよび信号線ＳＬ１の各々は、例えばアルミニウム（Ａｌ）またはモリブデン（Ｍｏ）等の不透明な金属からなる。
【００９７】
図６に示す例では、トランジスタＴｒ１のチャネル領域ＣＨｓは、方向ＤＲ１１に延在する。すなわち、トランジスタＴｒ１の延在部ＥＸ１１は、チャネル領域ＣＨｓである。方向ＤＲ１１ｔにおけるチャネル領域ＣＨｓの長さＬ１１が、チャネル長Ｌ１である。方向ＤＲ１１におけるチャネル領域ＣＨｓの幅Ｗ１１が、チャネル幅Ｗ１である。チャネル幅Ｗ１は、チャネル長Ｌ１よりも長い。
【００９８】
前述した図４を用いて説明したように、信号線ＳＬ１は、Ｙ方向に配列された複数の副画素ＳＰｉｘからなる副画素群ＳＰＧ１と接続されている。そのため、信号線ＳＬ１およびトランジスタＴｒ１には、比較的大きな電流が流れる。したがって、トランジスタＴｒ１では、チャネル領域ＣＨｓのチャネル幅Ｗ１は、チャネル領域ＣＨｓのチャネル長Ｌ１に比べ、極めて大きい。
【００９９】
具体的には、チャネル領域ＣＨｓのチャネル長Ｌ１を３〜１０μｍとすることができ、チャネル領域ＣＨｓのチャネル幅Ｗ１を、２００μｍとすることができる。
【０１００】
なお、トランジスタＴｒ２についても、平面視において、トランジスタＴｒ１が延在する方向ＤＲ１１と異なる方向であるＹ方向に延在する点を除き、トランジスタＴｒ１と同様にすることができる。また、トランジスタＴｒ２のチャネル領域ＣＨｓは、Ｙ方向に延在する。
【０１０１】
トランジスタＴｒ２のソース電極ＳＥｓは、トランジスタＴｒ１のソース電極ＳＥｓ、および、映像信号線ＳＬを介して、信号線駆動回路ＣＳ（図４参照）と接続されている。また、トランジスタＴｒ２のドレイン電極ＤＥｓは、信号線ＳＬ２と接続されている。
【０１０２】
さらに、トランジスタＴｒ２では、チャネル領域ＣＨｓのチャネル幅は、チャネル領域ＣＨｓのチャネル長に比べ、極めて大きい。トランジスタＴｒ２のチャネル領域ＣＨｓのチャネル幅を、トランジスタＴｒ１のチャネル領域ＣＨｓのチャネル幅Ｗ１と等しくすることができ、トランジスタＴｒ２のチャネル領域ＣＨｓのチャネル長を、トランジスタＴｒ１のチャネル領域ＣＨｓのチャネル長Ｌ１と等しくすることができる。
【０１０３】
また、各画素Ｐｉｘ（図４参照）が３つの副画素ＳＰｉｘ（図４参照）を有し、ＲＧＢスイッチ回路ＳＷＳ（図４参照）が、トランジスタＴｒ１およびＴｒ２に加え、さらに、トランジスタＴｒ３を有する場合を、図８に示す。図８は、実施の形態１の信号線およびトランジスタの他の例の平面図である。図８に示す例では、信号線ＳＬ３は、Ｒ（赤）の副画素ＳＰｉｘ（図４参照）と接続されている。トランジスタＴｒ３は、信号線ＳＬ３と信号線駆動回路ＣＳ（図４参照）とを接続する。
【０１０４】
額縁領域ＦＬＡ１は、額縁領域ＦＬＡ１１およびＦＬＡ１２に加え、額縁領域ＦＬＡ１３を含む。額縁領域ＦＬＡ１３は、額縁領域ＦＬＡ１２に対して表示領域ＤＰＡ側に配置されている。トランジスタＴｒ３は、額縁領域ＦＬＡ１３に設けられている。
【０１０５】
図８に示す例では、トランジスタＴｒ３は、Ｙ方向に延在する。あるいは、トランジスタＴｒ１、Ｔｒ２およびＴｒ３のうち、少なくとも一つが、平面視において、信号線ＳＬ１、ＳＬ２およびＳＬ３が延在する方向であるＹ方向に対して傾斜した方向ＤＲ１１に延在してもよい。
【０１０６】
なお、図８においても、トランジスタＴｒ３の間には、トランジスタＴｒ２から表示領域ＤＰＡに向けて延在する信号線ＳＬ２と、トランジスタＴｒ１から表示領域ＤＰＡに向けて延在する信号線ＳＬ１とが配置されている。また、トランジスタＴｒ２の間には、トランジスタＴｒ１から表示領域ＤＰＡに向けて延在する信号線ＳＬ１が配置されている。しかし、トランジスタＴｒ１の間には、表示領域ＤＰＡに向けて延在する信号線を設ける必要はない。トランジスタＴｒ３の間に比べてトランジスタＴｒ２の間には信号線の１本の幅分の余裕が存在し、トランジスタＴｒ１の間には信号線の２本の幅分の余裕が存在することとなる。そのため、トランジスタＴｒ１を、Ｙ方向に対して角度θ１１だけ傾斜した方向ＤＲ１１に延在させ、トランジスタＴｒ２を角度θ１１よりも小さい角度で傾斜させることが可能である。これにより、額縁領域ＦＬＡ１２のＹ方向における長さ寸法も短くすることができる。
【０１０７】
更に、トランジスタＴｒ３と信号線との間に余裕がある場合、トランジスタＴｒ３をトランジスタＴｒ２の傾斜角よりも小さい角度で傾斜させることが可能である。つまり、トランジスタのチャネル長方向の傾斜角が、トランジスタＴｒ３の傾斜角＜トランジスタＴｒ２の傾斜角＜トランジスタＴｒ１の傾斜角とすることで額縁領域の寸法をより小さくすることが可能となる。別の言い方をすれば、額縁領域ＦＬＡ１３のＹ方向の寸法＞額縁領域ＦＬＡ１２のＹ方向の寸法＞額縁領域ＦＬＡ１１のＹ方向の寸法となる。なお、本明細書において、傾斜、あるいは、傾斜角とは、Ｙ方向の正側（図のＹ方向の矢印の方向）を基準としている。
【０１０８】
トランジスタＴｒ３のソース電極ＳＥｓは、トランジスタＴｒ２のソース電極ＳＥｓ、トランジスタＴｒ１のソース電極ＳＥｓ、および、信号線ＳＬを介して、信号線駆動回路ＣＳ（図４参照）と接続されている。また、トランジスタＴｒ３のドレイン電極ＤＥｓは、信号線ＳＬ３と接続されている。
【０１０９】
さらに、トランジスタＴｒ３では、チャネル領域ＣＨｓのチャネル幅は、チャネル領域ＣＨｓのチャネル長に比べ、極めて大きい。トランジスタＴｒ３のチャネル領域ＣＨｓのチャネル幅を、トランジスタＴｒ１のチャネル領域ＣＨｓのチャネル幅Ｗ１と等しくすることができ、トランジスタＴｒ３のチャネル領域ＣＨｓのチャネル長を、トランジスタＴｒ１のチャネル領域ＣＨｓのチャネル長Ｌ１と等しくすることができる。
【０１１０】
なお、例えば複数の画素Ｐｉｘ（図４参照）の各々が、Ｒ（赤）、Ｇ（緑）、Ｂ（青）およびＷ（白）など、４つ以上の副画素ＳＰｉｘ（図４参照）を含んでもよく、各信号線ＳＬが４本以上の信号線を含み、４つ以上のトランジスタを含んでもよい。
【０１１１】
＜額縁領域の縦方向の長さ寸法＞
次に、額縁領域ＦＬＡ１の縦方向（Ｙ方向）の長さ寸法について、図９〜図１１を参照し、比較例と比較しながら説明する。図９は、比較例における信号線およびトランジスタの平面図である。図１０は、比較例におけるトランジスタの平面図である。図１１は、実施の形態１におけるトランジスタの平面図である。
【０１１２】
図９に示すように、比較例では、実施の形態１のトランジスタＴｒ１に代えて設けられたトランジスタＴｒ１０１、および、トランジスタＴｒ２のいずれも、Ｙ方向に延在する。すなわち、比較例では、トランジスタＴｒ１０１およびＴｒ２のいずれが延在する方向も、平面視において、信号線ＳＬ１およびＳＬ２が延在する方向であるＹ方向に対して傾斜していない。
【０１１３】
図１０に示すように、トランジスタＴｒ１０１では、チャネル領域ＣＨｓのチャネル幅Ｗ１は、チャネル領域ＣＨｓのチャネル長Ｌ１に比べ、極めて大きく、例えば２００μｍである。また、比較例では、Ｙ方向におけるトランジスタＴｒ１０１の長さ寸法ＬＹ１０１は、チャネル幅Ｗ１に等しい。このような場合、額縁領域ＦＬＡ１、すなわち表示領域ＤＰＡの周辺の領域の、信号線ＳＬ１およびＳＬ２の延在方向であるＹ方向における長さ寸法が大きくなり、額縁領域ＦＬＡ１の面積を縮小することができない。
【０１１４】
一方、本実施の形態１では、例えばトランジスタＴｒ１が、平面視において、Ｙ方向に対して傾斜した方向ＤＲ１１に延在する。図１１に示すように、トランジスタＴｒ１が、Ｙ方向に対して角度θ１１だけ傾斜した方向ＤＲ１１に延在する場合、Ｙ方向におけるトランジスタＴｒ１の長さ寸法ＬＹ１は、チャネル幅Ｗ１のｃｏｓθ１１倍に短くなる。そのため、本実施の形態１では、比較例に比べ、Ｙ方向における額縁領域ＦＬＡ１１の長さ寸法を、ｃｏｓθ１１倍に短くすることができる。したがって、本実施の形態１では、比較例に比べ、額縁領域ＦＬＡ１、すなわち表示領域ＤＰＡの周辺の領域のうち、ＲＧＢスイッチ回路のトランジスタが設けられる部分の面積を縮小し、額縁領域ＦＬＡ１の面積を縮小することができる。
【０１１５】
なお、本実施の形態１では、比較例に比べ、チャネル幅Ｗ１を等しく維持することができ、トランジスタＴｒ１に流れる電流を等しく維持することができる。そのため、表示装置の特性を低下させることなく、額縁領域ＦＬＡ１の面積を縮小することができる。
【０１１６】
また、本実施の形態１では、比較例に比べ、平面配置が変更されるだけであり、断面構造は変更されない。そのため、本実施の形態１では、従来の製造プロセスをそのまま適用することができる。
【０１１７】
方向ＤＲ１１がＹ方向に対して角度θ１１だけ傾斜している場合、Ｘ方向におけるトランジスタＴｒ１の幅寸法は、ｓｉｎθ１１であるため、角度θ１１の増加に伴って、Ｘ方向におけるトランジスタＴｒ１の幅寸法は、増加する。しかし、隣り合う２つのトランジスタＴｒ１の間の隙間を狭くすることなどにより、Ｘ方向における額縁領域ＦＬＡ１１の幅寸法をそれほど増加させることなく、Ｙ方向における額縁領域ＦＬＡ１１の長さ寸法を短くすることができる。
【０１１８】
なお、図１１では、角度θ１１の絶対値が、４５°である場合を例示して説明した。しかし、角度θ１１の絶対値は、４５°に限られない。角度θ１１の絶対値は、０°よりも大きく、かつ、９０°未満であればよいが、好適には、１５°以上である。これにより、角度θ１１の絶対値が０°である場合に比べ、Ｙ方向における額縁領域ＦＬＡ１１の長さ寸法を、ｃｏｓ１５°倍以下、すなわち０．９７倍以下に短くすることができる。さらに好適には、角度θ１１の絶対値は、４５°以上である。これにより、角度θ１１の絶対値が０°である場合に比べ、Ｙ方向における額縁領域ＦＬＡ１１の長さ寸法を、ｃｏｓ４５°倍以下、すなわち０．７１倍以下に短くすることができる。
【０１１９】
図１２は、実施の形態１における信号線およびトランジスタのさらに他の例の平面図である。図１２に示すように、トランジスタＴｒ１に加え、トランジスタＴｒ２も、トランジスタＴｒ１と同様に、Ｙ方向に対して角度θ２１だけ傾斜した方向ＤＲ２１に延在してもよい。すなわち、トランジスタＴｒ２のチャネル領域ＣＨｓは、方向ＤＲ２１に延在する延在部ＥＸ２１である。これにより、Ｙ方向における額縁領域ＦＬＡ１２の長さ寸法を短くすることができるので、図６に示す例に比べ、Ｙ方向における額縁領域ＦＬＡ１の長さ寸法をさらに短くすることができる。
【０１２０】
ただし、額縁領域ＦＬＡ１２においてトランジスタＴｒ２の間には信号線ＳＬ１が配置されるため、前述した図６を用いて説明したように、角度θ２１を角度θ１１よりも小さくすることで、額縁領域ＦＬＡ１２において信号線ＳＬ１を容易に配置することができる。
【０１２１】
複数の信号線ＳＬの各々にそれぞれ含まれる複数のトランジスタＴｒ１がＹ方向に対して傾斜している角度θ１１は、互いに等しくてもよいが、互いに等しくなくてもよい。例えば、本実施の形態１の表示装置を、辺ＢＳｓ１がＸ方向に延在し、辺ＢＳｓ３およびＢＳｓ４がＹ方向に延在する場合において、辺ＢＳｓ２がＸ方向に対して傾斜した方向に延在し、表示領域ＤＰＡの辺ＢＳｓ２側の辺がＸ方向に対して傾斜した方向に延在するような、異形ディスプレイに適用した場合を考える。
【０１２２】
このような場合には、１本の信号線ＳＬ１に接続される副画素ＳＰｉｘの数が、Ｘ方向の各位置で、すなわち複数の信号線ＳＬ１の間で、異なる。したがって、トランジスタＴｒ１のチャネル領域ＣＨｓのチャネル幅Ｗ１が、Ｘ方向の各位置で、すなわち複数の信号線ＳＬ１の間で、異なる。そのため、角度θ１１を、Ｘ方向の各位置で、互いに等しくならないように、変えることにより、Ｙ方向におけるトランジスタＴｒ１の長さ寸法ＬＹ１を、互いに等しくすることができる。
【０１２３】
（実施の形態２）
実施の形態１では、トランジスタＴｒ１は、Ｙ方向に対して傾斜した方向に延在する延在部ＥＸ１１を有していた。それに対して、実施の形態２では、トランジスタＴｒ１は、延在部ＥＸ１１に加えて、延在部ＥＸ１１の端部から屈曲して延在する延在部ＥＸ１２を有する。
【０１２４】
実施の形態２でも、表示装置の構成および等価回路については、実施の形態１と同様にすることができ、その説明を省略する。
【０１２５】
＜信号線およびトランジスタ＞
次に、信号線およびトランジスタの配置について、説明する。図１３は、実施の形態２における信号線およびトランジスタの平面図である。
【０１２６】
なお、本実施の形態２における信号線およびトランジスタの等価回路は、図５に示した等価回路と同様である。また、図１３のＣ−Ｃ線に沿った断面構造は、図７に示した断面構造と同様である。
【０１２７】
以下では、信号線およびトランジスタについて、主として、実施の形態１と異なる点を説明する。
【０１２８】
トランジスタＴｒ１およびＴｒ２の各々は、基板ＢＳの主面としての前面ＢＳｆ（図２参照）側の領域である額縁領域ＦＬＡ１に設けられている。額縁領域ＦＬＡ１は、額縁領域ＦＬＡのうち、Ｙ方向において、表示領域ＤＰＡに対して、Ｙ方向における負側に配置されている。
【０１２９】
額縁領域ＦＬＡ１は、額縁領域ＦＬＡ１１と、額縁領域ＦＬＡ１２と、を含む。額縁領域ＦＬＡ１２は、額縁領域ＦＬＡ１１に対して表示領域ＤＰＡ側に配置されている。トランジスタＴｒ１は、額縁領域ＦＬＡ１１に設けられ、トランジスタＴｒ２は、額縁領域ＦＬＡ１２に設けられている。
【０１３０】
トランジスタＴｒ１は、延在部ＥＸ１１と、延在部ＥＸ１２と、を含む。延在部ＥＸ１１は、Ｙ方向に対して、Ｘ方向における負側に傾斜した方向ＤＲ１１に延在する。延在部ＥＸ１２は、延在部ＥＸ１１の表示領域ＤＰＡ側の端部から、平面視において、Ｙ方向に対して、Ｘ方向における負側と反対側、すなわちＸ方向における正側、に傾斜した方向ＤＲ１２に屈曲して延在する。言い換えれば、延在部ＥＸ１２は、平面視において、Ｙ方向に対して、Ｘ方向における負側と反対側、すなわちＸ方向における正側、に傾斜した方向ＤＲ１２に延在し、延在部ＥＸ１２のＹ方向における負側の端部は、延在部ＥＸ１１のＹ方向における正側の端部と接続されている。
【０１３１】
これにより、後述する図１５を用いて説明するように、トランジスタＴｒ１が配置される領域である額縁領域ＦＬＡ１１のＹ方向の長さ寸法を、短くすることができ、かつ、実施の形態１に比べ、Ｘ方向におけるＲＧＢスイッチの広がりを小さくすることができる。すなわち、本実施の形態２では、Ｘ方向における額縁領域ＦＬＡ１１の幅寸法をそれほど広くすることなく、Ｙ方向における額縁領域ＦＬＡ１１の長さ寸法を短くすることができる。
【０１３２】
図１３に示す例では、トランジスタＴｒ２は、Ｙ方向に延在する。あるいは、トランジスタＴｒ１がＹ方向に延在し、トランジスタＴｒ２が、延在部ＥＸ１１と、延在部ＥＸ１２と、を含んでもよい。すなわち、本実施の形態２では、トランジスタＴｒ１およびＴｒ２のうち、少なくとも一方が、延在部ＥＸ１１と、延在部ＥＸ１２と、を含む。これにより、Ｘ方向における額縁領域ＦＬＡ１の幅寸法をそれほど広くすることなく、Ｙ方向における額縁領域ＦＬＡ１の長さ寸法を短くすることができる。  
【０１３３】
平面視において、方向ＤＲ１１と直交する方向を、方向ＤＲ１１ｔとし、方向ＤＲ１２と直交する方向を、方向ＤＲ１２ｔとする。このとき、図１３に示す例では、トランジスタＴｒ１のチャネル領域ＣＨｓのうち、チャネル領域ＣＨｓ１は、方向ＤＲ１１に延在し、トランジスタＴｒ１のチャネル領域ＣＨｓのうち、チャネル領域ＣＨｓ２は、方向ＤＲ１２に延在する。すなわち、トランジスタＴｒ１の延在部ＥＸ１１は、チャネル領域ＣＨｓ１であり、トランジスタＴｒ１の延在部ＥＸ１２は、チャネル領域ＣＨｓ２である。
【０１３４】
方向ＤＲ１１ｔにおけるチャネル領域ＣＨｓ１の長さＬ１１、および、方向ＤＲ１２ｔにおけるチャネル領域ＣＨｓ２の長さＬ１２が、いずれもチャネル領域ＣＨｓのチャネル長Ｌ１である。方向ＤＲ１１におけるチャネル領域ＣＨｓ１の幅Ｗ１１と、方向ＤＲ１２におけるチャネル領域ＣＨｓ２の幅Ｗ１２と、の和が、チャネル領域ＣＨｓのチャネル幅Ｗ１である。チャネル幅Ｗ１は、チャネル長Ｌ１よりも長い。
【０１３５】
本実施の形態２でも、実施の形態１と同様に、信号線ＳＬ１は、Ｙ方向に配列された複数の副画素ＳＰｉｘからなる副画素群ＳＰＧ１（図４参照）と接続されている。そのため、信号線ＳＬ１およびトランジスタＴｒ１には、比較的大きな電流が流れる。したがって、トランジスタＴｒ１では、チャネル領域ＣＨｓのチャネル幅Ｗ１は、チャネル領域ＣＨｓのチャネル長Ｌ１に比べ、極めて大きい。また、具体的には、チャネル領域ＣＨｓのチャネル長Ｌ１を３〜１０μｍとすることができ、チャネル領域ＣＨｓのチャネル幅Ｗ１を、２００μｍとすることができる。
【０１３６】
なお、トランジスタＴｒ２についても、平面視において、トランジスタＴｒ１が延在する方向ＤＲ１１と異なる方向であるＹ方向に延在する点を除き、トランジスタＴｒ１と同様にすることができる。また、トランジスタＴｒ２のチャネル領域ＣＨｓは、Ｙ方向に延在する。
【０１３７】
トランジスタＴｒ２のソース電極ＳＥｓは、トランジスタＴｒ１のソース電極ＳＥｓ、および、映像信号線ＳＬを介して、信号線駆動回路ＣＳ（図４参照）と接続されている。また、トランジスタＴｒ２のドレイン電極ＤＥｓは、信号線ＳＬ２と接続されている。
【０１３８】
さらに、トランジスタＴｒ２では、チャネル領域ＣＨｓのチャネル幅は、チャネル領域ＣＨｓのチャネル長に比べ、極めて大きい。トランジスタＴｒ２のチャネル領域ＣＨｓのチャネル幅を、トランジスタＴｒ１のチャネル領域ＣＨｓのチャネル幅Ｗ１と等しくすることができ、トランジスタＴｒ２のチャネル領域ＣＨｓのチャネル長を、トランジスタＴｒ１のチャネル領域ＣＨｓのチャネル長Ｌ１と等しくすることができる。
【０１３９】
また、各画素Ｐｉｘ（図４参照）が３つの副画素ＳＰｉｘ（図４参照）を有し、ＲＧＢスイッチ回路ＳＷＳ（図４参照）が、トランジスタＴｒ１およびＴｒ２に加え、さらに、トランジスタＴｒ３を有する場合を、図１４に示す。図１４は、実施の形態２における信号線およびトランジスタの他の例の平面図である。図１４に示す例では、信号線ＳＬ３は、Ｒ（赤）の副画素ＳＰｉｘ（図４参照）と接続されている。トランジスタＴｒ３は、信号線ＳＬ３と信号線駆動回路ＣＳ（図４参照）とを接続する。
【０１４０】
額縁領域ＦＬＡ１は、額縁領域ＦＬＡ１１およびＦＬＡ１２に加え、額縁領域ＦＬＡ１３を含む。額縁領域ＦＬＡ１３は、額縁領域ＦＬＡ１２に対して表示領域ＤＰＡ側に配置されている。トランジスタＴｒ３は、額縁領域ＦＬＡ１３に設けられている。
【０１４１】
図１４に示す例では、トランジスタＴｒ３は、Ｙ方向に延在する。あるいは、トランジスタＴｒ１、Ｔｒ２およびＴｒ３のうち、少なくとも一つが、平面視において、方向ＤＲ１１に延在する延在部ＥＸ１１と、方向ＤＲ１２に延在する延在部ＥＸ１２と、を含んでもよい。
【０１４２】
トランジスタＴｒ３のソース電極ＳＥｓは、トランジスタＴｒ２のソース電極ＳＥｓ、トランジスタＴｒ１のソース電極ＳＥｓ、および、映像信号線ＳＬを介して、信号線駆動回路（図４参照）と接続されている。また、トランジスタＴｒ３のドレイン電極ＤＥｓは、信号線ＳＬ３と接続されている。
【０１４３】
さらに、トランジスタＴｒ３では、チャネル領域ＣＨｓのチャネル幅は、チャネル領域ＣＨｓのチャネル長に比べ、極めて大きい。トランジスタＴｒ３のチャネル領域ＣＨｓのチャネル幅を、トランジスタＴｒ１のチャネル領域ＣＨｓのチャネル幅Ｗ１と等しくすることができ、トランジスタＴｒ３のチャネル領域ＣＨｓのチャネル長を、トランジスタＴｒ１のチャネル領域ＣＨｓのチャネル長Ｌ１と等しくすることができる。
【０１４４】
なお、例えば複数の画素Ｐｉｘ（図４参照）の各々が、Ｒ（赤）、Ｇ（緑）、Ｂ（青）およびＷ（白）など、４つ以上の副画素ＳＰｉｘ（図４参照）を含んでもよく、各信号線ＳＬが４本以上であり、４つ以上のトランジスタを含んでもよい。
【０１４５】
＜額縁領域の縦方向の長さ寸法＞
次に、額縁領域ＦＬＡ１の縦方向（Ｙ方向）の長さ寸法について、図１５を参照し、図９および図１０に示した比較例と比較しながら説明する。図１５は、実施の形態２におけるトランジスタの平面図である。
【０１４６】
図９に示したように、比較例では、実施の形態１のトランジスタＴｒ１に代えて設けられたトランジスタＴｒ１０１、および、トランジスタＴｒ２のいずれも、Ｙ方向に延在する。また、比較例では、Ｙ方向におけるトランジスタＴｒ１０１の長さ寸法ＬＹ１０１は、チャネル幅Ｗ１に等しい。このような場合、額縁領域ＦＬＡ１、すなわち表示領域ＤＰＡの周辺の領域の、信号線ＳＬ１およびＳＬ２の延在方向であるＹ方向における長さ寸法が大きくなり、額縁領域ＦＬＡ１の面積を縮小することができない。
【０１４７】
一方、本実施の形態２では、例えばトランジスタＴｒ１が、延在部ＥＸ１１と、延在部ＥＸ１２と、を含む。そして、延在部ＥＸ１１が、平面視において、Ｙ方向に対してＸ方向における負側に傾斜した方向ＤＲ１１に延在し、延在部ＥＸ１２が、平面視において、Ｙ方向に対して、Ｘ方向における正側に傾斜した方向ＤＲ１２に延在する。
【０１４８】
図１５に示すように、延在部ＥＸ１１が、Ｙ方向に対して角度θ１１だけ傾斜した方向ＤＲ１１に延在する場合、Ｙ方向における延在部ＥＸ１１としてのチャネル領域ＣＨｓ１の長さ寸法ＬＹ１１は、幅Ｗ１１のｃｏｓθ１１倍に短くなる。また、延在部ＥＸ１２が、Ｙ方向に対して角度θ１２だけ傾斜した方向ＤＲ１２に延在する場合、Ｙ方向における延在部ＥＸ１２としてのチャネル領域ＣＨｓ２の長さ寸法ＬＹ１２は、幅Ｗ１２のｃｏｓθ１２倍に短くなる。そのため、本実施の形態２では、比較例に比べ、Ｙ方向における額縁領域ＦＬＡ１１の長さ寸法を、短くすることができる。したがって、本実施の形態２では、比較例に比べ、額縁領域ＦＬＡ１、すなわち表示領域ＤＰＡの周辺の領域のうち、ＲＧＢスイッチ回路のトランジスタが設けられる部分の面積を縮小し、額縁領域ＦＬＡ１の面積を縮小することができる。
【０１４９】
なお、本実施の形態２でも、実施の形態１と同様に、表示装置の特性を低下させることなく、額縁領域ＦＬＡ１の面積を縮小することができ、従来の製造プロセスをそのまま適用することができる。
【０１５０】
方向ＤＲ１１がＹ方向に対して角度θ１１だけ傾斜している場合、Ｘ方向における延在部ＥＸ１１としてのチャネル領域ＣＨｓ１の幅寸法は、ｓｉｎθ１１である。また、方向ＤＲ１２がＹ方向に対して角度θ１２だけ傾斜している場合、Ｘ方向における延在部ＥＸ１２としてのチャネル領域ＣＨｓ２の幅寸法は、ｓｉｎθ１２である。しかし、本実施の形態２では、チャネル領域ＣＨｓ１とチャネル領域ＣＨｓ２とは、Ｙ方向に対して、互いに反対側に傾斜しているため、実施の形態１に比べ、Ｘ方向における額縁領域ＦＬＡ１１の幅寸法をそれほど広くすることなく、Ｙ方向における額縁領域ＦＬＡ１１の長さ寸法を短くすることができる。
【０１５１】
なお、図１５では、角度θ１１の絶対値が、４５°である場合を例示して説明した。しかし、角度θ１１の絶対値は、４５°に限られない。角度θ１１の絶対値は、０°よりも大きく、かつ、９０°未満であればよいが、好適には、１５°以上である。これにより、角度θ１１の絶対値が０°である場合に比べ、Ｙ方向におけるチャネル領域ＣＨｓ１の長さ寸法ＬＹ１１を、ｃｏｓ１５°倍以下、すなわち０．９７倍以下に短くすることができる。さらに好適には、角度θ１１の絶対値は、４５°以上である。これにより、角度θ１１の絶対値が０°である場合に比べ、Ｙ方向におけるチャネル領域ＣＨｓ１の長さ寸法ＬＹ１１を、ｃｏｓ４５°倍以下、すなわち０．７１倍以下に短くすることができる。
【０１５２】
また、図１５では、角度θ１２の絶対値が、４５°である場合を例示して説明した。しかし、角度θ１２の絶対値は、４５°に限られない。角度θ１２の絶対値は、０°よりも大きく、かつ、９０°未満であればよいが、好適には、１５°以上である。これにより、角度θ１２の絶対値が０°である場合に比べ、Ｙ方向におけるチャネル領域ＣＨｓ２の長さ寸法ＬＹ１２を、ｃｏｓ１５°倍以下、すなわち０．９７倍以下に短くすることができる。さらに好適には、角度θ１２の絶対値は、４５°以上である。これにより、角度θ１２の絶対値が０°である場合に比べ、Ｙ方向におけるチャネル領域ＣＨｓ２の長さ寸法ＬＹ１２を、ｃｏｓ４５°倍以下、すなわち０．７１倍以下に短くすることができる。
【０１５３】
言い換えれば、方向ＤＲ１１に対する方向ＤＲ１２が屈曲する角度θ１３の絶対値は、好適には、１５０°以下であり、より好適には、９０°以下である。
【０１５４】
図１６は、実施の形態２におけるトランジスタの他の例の平面図である。図１６に示すように、延在部ＥＸ１２が、平面視において、Ｙ方向に対して傾斜せず、Ｙ方向に延在してもよい。このような場合でも、少なくとも延在部ＥＸ１１としてのチャネル領域ＣＨｓ１の、Ｙ方向における長さ寸法ＬＹ１１を、短くすることができる。
【０１５５】
図１７は、実施の形態２における信号線およびトランジスタのさらに他の例の平面図である。図１７に示すように、トランジスタＴｒ１に加え、トランジスタＴｒ２も、延在部ＥＸ２１と、延在部ＥＸ２２と、を含んでもよい。また、延在部ＥＸ２１としてのチャネル領域ＣＨｓ１が、Ｙ方向に対してＸ方向における負側に角度θ２１だけ傾斜した方向ＤＲ２１に延在し、延在部ＥＸ２２としてのチャネル領域ＣＨｓ２が、Ｙ方向に対してＸ方向における正側に角度θ２２だけ傾斜した方向ＤＲ２２に延在してもよい。これにより、Ｙ方向における額縁領域ＦＬＡ１２の長さ寸法を短くすることができるので、図１３に示す例に比べ、Ｙ方向における額縁領域ＦＬＡ１の長さ寸法を、さらに低減することができる。
【０１５６】
ただし、額縁領域ＦＬＡ１２において信号線ＳＬ１をＹ方向に延在させたい場合には、前述した図１３を用いて説明したように、トランジスタＴｒ２をＹ方向に延在させた方が、信号線ＳＬ１とトランジスタＴｒ２とが干渉しないため、額縁領域ＦＬＡ１２において信号線ＳＬ１を容易に配置することができる。
【０１５７】
あるいは、トランジスタＴｒ１およびＴｒ２のうち、一方が延在部ＥＸ１１のみを有し、他方が延在部ＥＸ１１およびＥＸ１２を有してもよい。このような場合にも、図１３に示す例に比べ、Ｙ方向における額縁領域ＦＬＡ１の長さ寸法を、さらに低減することができる。
【０１５８】
なお、角度θ１１の絶対値と、角度θ２１の絶対値とは、互いに等しくてもよいが、互いに等しくなくてもよい。また、角度θ１２の絶対値と、角度θ２２の絶対値とは、互いに等しくてもよいが、互いに等しくなくてもよい。
【０１５９】
あるいは、複数の映像信号線ＳＬの各々にそれぞれ含まれる複数のトランジスタＴｒ１がＹ方向に対して傾斜している角度θ１１およびθ１２の各々同士は、互いに等しくてもよいが、互いに等しくなくてもよい。例えば、本実施の形態２の表示装置を、実施の形態１で説明した異形ディスプレイに適用した場合には、１本の信号線ＳＬ１に接続される副画素ＳＰｉｘの数が、複数の信号線ＳＬ１の間で、異なる。したがって、トランジスタＴｒ１のチャネル領域ＣＨｓのチャネル幅Ｗ１が、複数の信号線ＳＬ１の間で、異なる。そのため、角度θ１１およびθ１２の各々を、複数の信号線ＳＬ１の間で、互いに等しくならないように、変えることにより、Ｙ方向におけるトランジスタＴｒ１の長さ寸法ＬＹ１を、互いに等しくすることができる。
【０１６０】
＜トランジスタの変形例＞
図１８は、実施の形態２の変形例におけるトランジスタの平面図である。なお、図１８では、ソース電極ＳＥｓおよびドレイン電極ＤＥｓの図示を省略する。
【０１６１】
図１８に示すように、トランジスタＴｒ１は、平面視において、交互に逆方向に屈曲しながら全体としてＹ方向に延在してもよい。すなわちトランジスタＴｒ１は、平面視において、ジグザグ形状を有してもよい。
【０１６２】
図１８に示す例では、トランジスタＴｒ１は、延在部ＥＸ１１としてのチャネル領域ＣＨｓ１と、延在部ＥＸ１２としてのチャネル領域ＣＨｓ２と、延在部ＥＸ１３としてのチャネル領域ＣＨｓ３と、延在部ＥＸ１４としてのチャネル領域ＣＨｓ４と、を含む。
【０１６３】
延在部ＥＸ１１としてのチャネル領域ＣＨｓ１は、Ｙ方向に対して、Ｘ方向における負側に傾斜した方向ＤＲ１１に延在する。延在部ＥＸ１２としてのチャネル領域ＣＨｓ２は、延在部ＥＸ１１としてのチャネル領域ＣＨｓ１のＹ方向の正側の端部から、平面視において、Ｙ方向に対して、Ｘ方向における正側に傾斜した方向ＤＲ１２に屈曲して延在する。延在部ＥＸ１３としてのチャネル領域ＣＨｓ３は、延在部ＥＸ１２としてのチャネル領域ＣＨｓ２のＹ方向の正側の端部から、平面視において、Ｙ方向に対して、Ｘ方向における負側に傾斜した方向ＤＲ１３に屈曲して延在する。延在部ＥＸ１４としてのチャネル領域ＣＨｓ４は、延在部ＥＸ１３としてのチャネル領域ＣＨｓ３のＹ方向の正側の端部から、平面視において、Ｙ方向に対して、Ｘ方向における正側に傾斜した方向ＤＲ１４に屈曲して延在する。
【０１６４】
これにより、本変形例でも、実施の形態２と同様に、トランジスタＴｒ１が配置される領域である額縁領域ＦＬＡ１１（図１３参照）のＹ方向の長さ寸法を短くすることができる。
【０１６５】
一方、本変形例では、ジグザグ形状を有することにより、Ｘ方向におけるトランジスタＴｒ１の幅寸法を狭くすることができる。したがって、実施の形態２に比べ、さらに、Ｘ方向における額縁領域ＦＬＡ１１（図１３参照）の幅寸法を狭くすることができる。なお、本変形例、および、実施の形態２において、屈曲部におけるチャネル領域の形状は他の領域の形状とは異なる。そのため、屈曲部の半導体を除去してもよい。逆に屈曲部のソース電極、ドレイン電極、あるいは、双方を除去する構成であってもよい。
【０１６６】
以上、本発明者によってなされた発明をその実施の形態に基づき具体的に説明したが、本発明は前記実施の形態に限定されるものではなく、その要旨を逸脱しない範囲で種々変更可能であることはいうまでもない。
【０１６７】
例えば、トランジスタＴｒ１の延在方向を延在部ＥＸ１１や延在部ＥＸ１２と異ならせる場合、延在部ＥＸ１１と延在部ＥＸ１２とで延在方向の傾斜角を異ならせてもよい。また、チャネル領域ＣＨｓ１とチャネル領域ＣＨｓ２との長さを均一にしているが、一方の長さが他方の長さと異ならせてもよい。図１８の例のそれぞれの延在部に対しても同様である。また、トランジスタＴｒ１が延在部ＥＸ１１や延在部ＥＸ１２を有し、トランジスタＴｒ２が延在部ＥＸ２１や延在部ＥＸ２２を有する場合、信号線の配置を考慮して、延在部ＥＸ２１や延在部ＥＸ２２の傾斜角を、延在部ＥＸ１１や延在部ＥＸ１２の傾斜角よりも小さくしてもよい。また、ＲＧＢスイッチは、額縁領域ＦＬＡ１のＸ方向全体に亘って設けられているが、全てにおいてトランジスタを同一の形状にする必要はなく、配線密度等を考慮して、一部のトランジスタのみを本願実施例（実施の形態）のように形成したり、場所に応じて本願発明の各実施例（実施の形態）を組み合わせて配置してもよい。
【０１６８】
また、前記実施の形態においては、開示例として液晶表示装置の場合を例示したが、その他の適用例として、有機ＥＬ表示装置、その他の自発光型表示装置、あるいは電気泳動素子等を有する電子ペーパー型表示装置等、あらゆるフラットパネル型の表示装置が挙げられる。また、中小型から大型まで、特に限定することなく適用が可能であることはいうまでもない。
【０１６９】
本発明の思想の範疇において、当業者であれば、各種の変更例および修正例に想到し得るものであり、それら変更例および修正例についても本発明の範囲に属するものと了解される。
【０１７０】
例えば、前述の各実施の形態に対して、当業者が適宜、構成要素の追加、削除もしくは設計変更を行ったもの、または、工程の追加、省略もしくは条件変更を行ったものも、本発明の要旨を備えている限り、本発明の範囲に含まれる。
【産業上の利用可能性】
【０１７１】
本発明は、表示装置に適用して有効である。
【符号の説明】
【０１７２】
ＡＦ１、ＡＦ２  配向膜
ＢＭ  遮光膜
ＢＳ、ＦＳ  基板
ＢＳｂ、ＦＳｂ  背面
ＢＳｆ、ＦＳｆ  前面
ＢＳｇ、ＦＳｇ  基材
ＢＳｓ１〜ＢＳｓ４  辺
ＣＣ  回路部
ＣＥ  共通電極
ＣＦ  カラーフィルタ
ＣＦｂ、ＣＦｇ、ＣＦｒ  カラーフィルタ画素
ＣＧ  走査線駆動回路
ＣＨＰ  半導体チップ
ＣＨｓ、ＣＨｓ１〜ＣＨｓ４  チャネル領域
Ｃｌｃ  液晶容量
ＣＭ  共通電極駆動回路
ＣＳ  信号線駆動回路
ＣＴＬ  表示制御回路
ＤＥｓ  ドレイン電極
ＤＰ  表示部
ＤＰＡ  表示領域
ＤＲ１１、ＤＲ１１ｔ、ＤＲ１２、ＤＲ１２ｔ  方向
ＤＲ１３、ＤＲ１４、ＤＲ２１、ＤＲ２２  方向
ＤＲｓ  ドレイン領域
ＥＸ１１〜ＥＸ１４、ＥＸ２１、ＥＸ２２  延在部
ＦＬ  額縁部
ＦＬＡ、ＦＬＡ１、ＦＬＡ１１〜ＦＬＡ１３、ＦＬＡ１ｃ  額縁領域
ＧＥｓ  ゲート電極
ＧＩｓ  ゲート絶縁膜
ＧＬ  走査線
ＧＬｓ  ゲート配線
ＨＬｓ  コンタクトホール
ＩＦｓ  絶縁膜
Ｌ１  チャネル長
Ｌ１１、Ｌ１２  長さ
ＬＣＤ１  表示装置
ＬＣＬ  液晶層
ＬＳ  光源
ＬＹ１、ＬＹ１１、ＬＹ１２  長さ寸法
ＯＣ１  樹脂層
ＯＣ２  絶縁層
ＰＥ  画素電極
Ｐｉｘ  画素
ＰＬ１、ＰＬ２  偏光板
ＳＣｓ  半導体層
ＳＥＬ１〜ＳＥＬ３  スイッチ切替信号
ＳＥｓ  ソース電極
ＳＬ  映像信号線（信号線）
ＳＬ１〜ＳＬ３  信号線
ＳＰＧ１〜ＳＰＧ３  副画素群
ＳＰｉｘ  副画素
ＳＲｓ  ソース領域
ＳＷＳ  ＲＧＢスイッチ回路
Ｔｒ１〜Ｔｒ３、Ｔｒｄ  トランジスタ
ＶＷ  観者
Ｗ１  チャネル幅
Ｗ１１、Ｗ１２  幅
【図１】
2016109845.tif 000003
【図２】
2016109845.tif 000004
【図３】
2016109845.tif 000005
【図４】
2016109845.tif 000006
【図５】
2016109845.tif 000007
【図６】
2016109845.tif 000008
【図７】
2016109845.tif 000009
【図８】
2016109845.tif 000010
【図９】
2016109845.tif 000011
【図１０】
2016109845.tif 000012
【図１１】
2016109845.tif 000013
【図１２】
2016109845.tif 000014
【図１３】
2016109845.tif 000015
【図１４】
2016109845.tif 000016
【図１５】
2016109845.tif 000017
【図１６】
2016109845.tif 000018
【図１７】
2016109845.tif 000019
【図１８】
2016109845.tif 000020